(57)【要約】      （修正有）【課題】取付けの際の取付用ねじによる防水シートの防水機能の低下を抑えることができる外壁板の留め金具を提供する。【解決手段】下側に配設される外壁板４の上端部を受け入れる第１受部２６と、上側に配設される外壁板４の下端部を受け入れる第２受部２８と、柱３６（又は間柱）に取り付けるための取付壁８とを有する金具本体６を備えた留め金具２。金具本体６の取付壁８には、取付用貫通孔が設けられ、取付壁８の裏面には、更に、取付用貫通孔を覆うように第１ブチルゴム層３０が設けられている。この第１ブチルゴム層３０の表面には粘着層が設けられている。また、金具本体６の取付壁８の表面には、取付用貫通孔を覆うように第２ブチルゴム層３４が設けられている。【選択図】図４
2013044117.tif 000002
【特許請求の範囲】
【請求項１】
下側に配設される外壁の上端部を受け入れる第１受部と、上側に配設される外壁の下端部を受け入れる第２受部と、柱又は間柱に取り付けるための取付壁とを有する金具本体を備え、前記金具本体の前記取付壁には取付用貫通孔が設けられ、前記取付壁の裏面には、更に、前記取付用貫通孔を覆うように第１ブチルゴム層が設けられていることを特徴とする外壁板の留め金具。
【請求項２】
前記第１ブチルゴム層の表面には粘着層が設けられていることを特徴とする請求項１に記載の外壁板の留め金具。
【請求項３】
前記取付壁の表面には、前記取付用貫通孔を覆うように第２ブチルゴム層が設けられていることを特徴とする請求項１又は２に記載の外壁板の留め金具。
【請求項４】
前記第１ブチルゴム層は、ブチルゴム製テープから構成されていることを特徴とする請求項１〜３のいずれかに記載の外装板の留め金具。
【請求項５】
外装板を取り付けるために用いる補助具であって、土台柱、柱又は間柱に取り付けられる補助具本体を備え、前記補助具本体の裏面にブチルゴム層が設けられていることを特徴とする外装板の取付補助具。
【発明の詳細な説明】
【技術分野】
【０００１】
本発明は、家屋などの外壁板を留めるために用いる留め金具及び外壁板を取り付けるために用いる取付補助具に関する。
【背景技術】
【０００２】
一戸建て家屋などでは、外壁材として外壁板が広く用いられ、この外壁板を留めるために留め金具が用いられている（例えば、特許文献１参照）。この留め金具は、外壁板を留めるための金具本体を備え、この金具本体は、柱（又は間柱）に取り付けられる取付壁を有し、この取付壁に取付用貫通孔が設けられている。また、金具本体は第１及び第２受部を有し、下側の外壁板の上端部は、金具本体の第１受部に受け入れられ、上側の外壁板の下端部は、金具本体の第２受部に受け入れられ、このようにして上下方向に隣接する外壁板は、この留め金具を介して固定的に留められる。
【先行技術文献】
【特許文献】
【０００３】
【特許文献１】実用新案登録第３１６１０５７号公報
【発明の概要】
【発明が解決しようとする課題】
【０００４】
しかしながら、従来の留め金具においては、次の通りの解決すべき問題がある。即ち、この留め金具の取付固定は、取付壁の取付用貫通孔を通して取付用ねじのねじ部を柱（又は間柱）に埋め込むことによって行われるが、この埋込みの際に、このねじ部によって、柱（又は間柱）と取付壁との間に介在される防水シートに穴があき、外部からの湿気がこの穴を通して内部に侵入し、防水シートの防水機能が損なわれるおそれがある。
【０００５】
このような問題は、外壁板を取り付けるために用いる取付補助具（例えば、スタータ部材、胴縁など）にも存在する。
【０００６】
本発明の目的は、取付けの際の取付用ねじによる防水シートの防水機能の低下を抑えることができる外壁板の留め金具及び取付補助具を提供することである。
【０００７】
また、本発明の他の目的は、取付施工を簡単に且つ容易に行うことができる外壁板の留め金具及び取付補助具を提供することである。
【課題を解決するための手段】
【０００８】
本発明の請求項１に記載の外壁板の留め金具は、下側に配設される外壁板の上端部を受け入れる第１受部と、上側に配設される外壁板の下端部を受け入れる第２受部と、柱又は間柱に取り付けるための取付壁とを有する金具本体を備え、前記金具本体の前記取付壁には取付用貫通孔が設けられ、前記取付壁の裏面には、更に、前記取付用貫通孔を覆うように第１ブチルゴム層が設けられていることを特徴とする。
【０００９】
また、本発明の請求項２に記載の外壁板の留め金具では、前記第１ブチルゴム層の表面には粘着層が設けられていることを特徴とする。
【００１０】
また、本発明の請求項３に記載の外壁板の留め金具では、前記取付壁の表面には、前記取付用貫通孔を覆うように第２ブチルゴム層が設けられていることを特徴とする。
【００１１】
また、本発明の請求項４に記載の外壁板の留め金具では、前記第１ブチルゴム層は、ブチルゴム製テープから構成されていることを特徴とする。
【００１２】
更に、本発明の請求項５に記載の外装板の取付補助具は、外装板を取り付けるために用いる補助具であって、土台柱、柱又は間柱に取り付けられる補助具本体を備え、前記補助具本体の裏面にブチルゴム層が設けられていることを特徴とする。
【発明の効果】
【００１３】
本発明の請求項１に記載の外壁板の留め金具によれば、金具本体の取付壁の裏面には、取付用貫通孔を覆うように第１ブチルゴム層が設けられているので、この取付貫通孔を通して取付用ねじ（又は取付用釘など）を柱（又は間柱）に取り付けた際に、取付用ねじ（又は取付用釘など）に付着した第１ブチルゴム層の一部が防水シートの穴を埋めるようになり、また外気温の上昇によってこの第１ブチルゴム層が幾分溶けるように柔らかくなって防水シートの穴をより確実に埋めるようになり、このようにして、取付用ねじ（又は取付用釘など）による穴が第１ブチルゴム層により密封される。かくして、防水シートの防水機能が維持され、外部からの湿気が防水シートを通して内側に侵入するのを防止することができる。
【００１４】
また、本発明の請求項２に記載の外壁板の留め金具によれば、第１ブチルゴム層の表面に粘着層が設けられているので、取付けの際には、金具本体を取付部位に押し付けることにより、この粘着層によって仮保持することができ、金具本体を片手で押さえて保持することなく簡単に柱（又は間柱）に取り付けることができる。
【００１５】
また、本発明の請求項３に記載の外壁板の留め金具では、取付壁の表面に取付用貫通孔を覆うように第２ブチルゴム層が設けられているので、取付用ねじ（又は取付用釘など）を取り付ける際に、この表面側の第２ブチルゴム層も取付用ねじ（又は取付用釘など）に付着して防水シートの穴を埋めるようになり、この防水シートの穴をより確実に密封して防水機能を維持することができる。
【００１６】
また、本発明の請求項４に記載の外壁板の留め金具によれば、第１ブチルゴム層は、ブチルゴム製テープから構成されているので、ブチルゴム製テープを貼り付けることによって第１ブチルゴム層を簡単に設けることができ、一般に市販されているものにも容易に適用することができる。
【００１７】
更に、本発明の請求項５に記載の外壁板の取付補助具によれば、補助具本体の裏面にブチルゴム層が設けられているので、取付用ねじ（又は取付用釘など）によって補助具本体を土台柱（又は柱、間柱）に取り付けた際に、取付用ねじ（又は取付用釘など）に付着したブチルゴム層の一部が防水シートの穴を埋めるようになり、また外気温の上昇によってこのブチルゴム層が幾分溶けるように柔らかくなって防水シートの穴をより確実に埋めるようになり、このようにして、取付用ねじ（又は取付用釘など）による穴がブチルゴム層により密封され、かくして、防水シートの防水機能を維持することができる。
【図面の簡単な説明】
【００１８】
【図１】本発明に従う外壁板の留め金具の一実施形態を示す正面図。
【図２】図１の留め金具を示す側面図。
【図３】図１におけるＩＩＩ−ＩＩＩ線による断面図。
【図４】図１の留め金具の使用例を示す断面図。
【図５】本発明に従う外壁板の取付補助具の一実施形態を示す図。
【発明を実施するための形態】
【００１９】
以下、添付図面を参照して、本発明に従う留め金具及び取付補助具の実施形態について説明する。
【００２０】
まず、図１〜図４を参照して、留め金具の実施形態について説明する。図１〜図３において、図示の留め金具２は、外壁板４を留めるための金具本体６を備えている。図示の金具本体６は、矩形状の取付壁８、この取付壁８の両側端部に設けられた側壁１０，１２及び取付壁８の下端部に設けられた下壁１４を備え、これら側壁１０，１２及び下壁１４が取付壁８から前側（図１において紙面に垂直な方向手前側、図２及び図３において右側）に延びている。取付壁８には、幅方向（図１において左右方向、図２及び図３において紙面に垂直な方向）に間隔をおいて３つの取付用貫通孔１６が設けられている。この取付用貫通孔１６の数は、固定強度などを考慮して適宜設定することができる。
【００２１】
一対の側壁１０，１２は、取付壁８の下端を越えて下方に延びている。一方の側壁１０の前端部には、外側（図１において左側、図２において紙面に垂直な方向手前側）に折曲された右当接部１８が設けられ、また他方の側壁１２の前端部には、外側（図１において右側、図２において紙面に垂直な方向裏面側）に折曲された左当接部２０が設けられている。
【００２２】
また、下壁１４は、一対の側壁１０，１２の前端を越えて前側に延び、この下壁１４の前端部には、下方に折曲された下折曲部２２と、上方に折曲された上折曲部２４とが設けられ、下折曲部２２は、図４に示すように、外壁板４の上端部の形状に対応して、下壁１４の前端部から垂直下方に延び、また上折曲部２４は、外壁板４の下端部の形状に対応して、下壁１４の前端部から前側に向けて上方に傾斜して延びている。この実施形態では、下壁１４の幅方向中央部に下折曲部２２が設けられ、その幅方向両側部に上折曲部２４が設けられている。尚、これとは反対に、下壁１４の幅方向中央部に上折曲部２４を設け、その幅方向両側部に下折曲部２２を設けるようにしてもよい。
【００２３】
この実施形態では、図４から理解されるように、一対の側壁１０，１２の右当接壁１８及び左当接壁２０、下壁１４並びに下折曲部２２が、下側に開放された第１受部２６を規定し、一対の側壁１０，１２の右当接壁１８及び左当接壁２０、下壁１４並びに一対の上折曲部２４が、上側に開放された第２受部２８を規定する。
【００２４】
この形態では、金具本体６の取付壁８の裏面（図１において紙面に垂直な方向裏面側、図２及び図３において左面側）に、ブチルゴムから形成された第１ブチルゴム層３０が設けられている。この第１ブチルゴム層３０は、取付壁８の取付用貫通孔１６を覆うように設けられる。この第１ブチルゴム層３０の表面には、図示していないが、粘着層を設けるのが好ましく、このように粘着層を設けることによって、後述する如く取り付ける際に、金具本体６を防水シート３２（図４参照）に仮保持することができる。
【００２５】
この金具本体６の取付壁８の表面（図１において紙面に対して手前側、図２及び図３において右面側）には、更に、ブチルゴムから形成された第２ブチルゴム層３４が設けられている。この第２ブチルゴム層３２も、第１ブチルゴム層３０と同様に、金具本体６の取付壁８の取付用貫通孔１６を覆うように設けられる。
【００２６】
第１及び第２ブチルゴム層３０，３４は、市販のブチルゴム製テープから構成することができ、このようなブチルゴム製テープを用いることによって、市販の留め金具２に簡単に適用することができる。尚、第１ブチルゴム層３０については、両面に粘着層を有するブチルゴム製テープを用い、第２ブチルゴム層３４については、片面に粘着層を有するブチルゴム製テープを用いることができる。
【００２７】
この留め金具２を用いた外壁板４の取付けは、例えば、次のようにして行われる。主として図４を参照して、この留め金具２は、下側の外壁板４の上端部に装着される。即ち、下側の外壁板４の上端部が留め金具４の第１受部２６（即ち、一対の側壁１０，１２の右当接部１０及び左当接部１２と下壁１４の下折曲部２２との間）に挿入され、このようにして留め金具２の第１受部２６に下側の外壁板４の上端部が受け入れられる。外壁板４の内側には防水シート３２が配設され、この防止シート３２は、建造物の柱３６（又は間柱）の表面側に装着されており、第１ブチルゴム層３０の表面に粘着層（図示せず）が設けられている場合、この留め金具２を押しつけることによって、留め金具２を粘着層を介して防水シート３２に仮保持することができる。
【００２８】
そして、金具本体６の取付用貫通孔１６を通して取付用ねじ３８のねじ部を柱３６（又は間柱）に埋め込み、このようにして留め金具２を防水シート３２の表面側から柱３６（又は間柱）に取り付ける。この取付の際、取付用ねじ３８のねじ部が防水シート３２を貫通して穴をあけるようになるが、取付用ねじ３８の埋込み方向の回動によって、そのねじ部に第１及び第２ブチルゴム層３２，３４の一部が巻き付けられ、かく巻き付いた一部が防水シート３２の穴を埋めるようになる。また、ブチルゴムは外気温の上昇によって幾分溶けるようになる特性を有しており、それ故に、第１及び第２ブチルゴム層３０，３４並びに取付用ねじ３８に巻き付いたブチルゴム層の一部が幾分溶けるように柔らかくなって防水シートの穴をより確実に埋めるようになり、このようにして、取付用ねじ３８による穴がブチルゴム層により密封され、かくして、この穴を通しての湿気の内部への侵入を防止することができる。
【００２９】
その後、この留め金具２に上側の外壁板４を留める。即ち、上側の外壁板４の下端部が留め金具４の第２受部２８（即ち、一対の側壁１０，１２の右当接部１０及び左当接部１２と下壁１４の一対の上折曲部２４との間）に挿入され、このようにして留め金具２の第２受部２８に上側の外壁板４の下端部が受け入れられる。尚、この形態では、取付用ねじ３８を用いて留め金具２を取付固定しているが、取付用釘を用いて取付固定するようにしてもよく、この場合、留め金具２の取付壁８の取付用貫通孔１６を通して取付用釘が柱３６（又は間柱）に埋め込まれ、この場合にも上述したと同様の効果が達成される。
【００３０】
外壁板４の上端部には、背面側に上方に突出する上突出部４ａが設けられ、この上突出部４ａが留め金具２の第１受部２６に受け入れられる。また、外壁部４の下端部には、その前面側に下方に突出する下突出部４ｂが設けられ、この下突出部４ｂが留め金具２の第２受部２８に受け入れられる。そして、かく受け入れられた状態おいては、下側の外壁板４における上突出部４ａの前面側に、上側の外壁板４ｂの下突出部４ｂが重なって位置するようになる。
【００３１】
ブチルゴム層については、留め金具２以外に、外壁板４を取り付けるために用いる取付補助具にも適用することができる。図５において、取付補助具の一例としての胴縁１０２は、補助具本体としての胴縁本体１０４を備え、この胴縁本体１０４の裏面にブチルゴム層１０６が設けられている。胴縁本体１０４は、合成樹脂の成形品から形成することができ、またブチルゴム層１０６は、ブチルゴム製テープ（例えば、両面に粘着層を有するブチルゴム製テープ）から構成することができる。
【００３２】
この胴縁１０２は、取付用釘（又は取付用ねじ）（図示せず）の釘部を胴縁本体１０４、ブチルゴム層１０６及び防水シート３２を貫通して柱３６（又は間柱）に埋め込むことによって柱３６（又は間柱）に取り付けられ、この場合においても、取付用釘（又は取付ねじ）に付着したブチルゴム層１０６の一部が防水シート３２の穴を埋めるようになる。それ故に、外気温の上昇によってブチルゴム層１０６及び取付用釘（又は取付用ねじ）に付着したその一部が幾分溶けるように柔らかくなって防水シート３２の穴をより確実に埋めるようになり、上述したと同様の効果が達成される。
【００３３】
このブチルゴム層は、取付補助具の他の例としてのスタータ部材にも同様に適用することができる。この場合、図示していないが、補助具本体としてのスタータ本体の裏面に、このスタータ本体に設けられた取付用貫通孔を覆うようにブチルゴム層を設ければよく、この場合においても上述したと同様の効果が達成される。
【００３４】
以上、本発明に従う留め金具及び取付補助具の一実施形態について説明したが、本発明はかかる実施形態に限定されるものではなく、本発明の範囲を逸脱することなく種々の変形乃至修正が可能である。
【００３５】
例えば、上述した実施形態では、留め金具２の取付壁８の裏面に第１ブチル層３０を設け、その表面に第２ブチルゴム層３４を設けているが、これら双方の面にブチルゴム層３０，３４を設ける必要はなく、その裏面に第１ブチルゴム層３０を設けるのみで所望の効果を達成することができる。
【符号の説明】
【００３６】
２  留め金具
４  外壁板
６  金具本体
８  取付壁
２６  第１受部
２８  第２受部
３０  第１ブチルゴム層
３２  防水シート
３４  第２ブチルゴム層
１０２  胴縁（取付補助具）
１０４  胴縁本体（補助具本体）
１０６  ブチルゴム層
【図１】
2013044117.tif 000003
【図２】
2013044117.tif 000004
【図３】
2013044117.tif 000005
【図４】
2013044117.tif 000006
【図５】
2013044117.tif 000007